(57)【要約】【課題】表示画質を向上させるための液晶表示装置を提供する。【解決手段】  液晶表示装置において、液晶表示パネルはデータ駆動部から映像データの入力を受け、ゲート駆動部からのゲート駆動信号に応答して映像を表示する。タイミング制御部はゲート駆動部にゲート駆動信号の出力を制御する第１制御信号を提供し、また前記液晶表示パネル上に形成される信号ラインを通じてデータ駆動部に映像データの出力を制御するための第２制御信号を提供する。従って、映像データとゲート駆動信号が実質的に同一な時間に該当画素領域に印加されることができるので映像データまたはゲート駆動信号の遅延による映像の歪曲を防止することができ、液晶表示装置の表示画質を向上させることができる。【選択図】    図４
2005004205.tif 000002
【特許請求の範囲】
【請求項１】
外部から映像データの入力を受け映像を表示する液晶表示パネルと、
前記液晶表示パネルに前記映像データを出力するデータ駆動部と、
前記液晶表示パネルにゲート駆動信号を出力するゲート駆動部と、
前記ゲート駆動部に前記ゲート駆動信号の出力を制御する第１制御信号を提供し、前記映像データの出力を制御するための第２制御信号を前記液晶表示パネル上に形成される信号ラインを通じて前記データ駆動部に提供するタイミング制御部と、を含むことを特徴とする液晶表示装置。
【請求項２】
前記信号ラインは前記データ駆動部に隣接する領域に形成されることを特徴とする請求項１記載の液晶表示装置。
【請求項３】
前記データ駆動部と前記液晶表示パネルを電気的に連結する複数の信号伝達部材をさらに含み、
前記信号ラインは前記複数の信号伝達部材のうちいずれか一つを通じて前記タイミング制御部から前記第２制御信号の入力を受けることを特徴とする請求項２記載の液晶表示装置。
【請求項４】
前記液晶表示パネルは、
前記液晶表示パネル上で第１方向に延伸されて形成され、前記第１方向と直交する第２方向に所定間隔を有するように配列され、前記ゲート駆動部を通じて前記ゲート駆動信号の印加を受ける複数のゲートラインと、
前記液晶表示パネル上で前記第２方向に延伸され、第１方向に所定間隔離隔して配列され、前記データ駆動部を通じて前記映像データの入力を受ける複数のデータラインと、を含むことを特徴とする請求項３記載の液晶表示装置。
【請求項５】
前記信号ラインは前記第１方向に延伸され、前記ゲートラインと実質的に平行するように形成されることを特徴とする請求項４記載の液晶表示装置。  
【請求項６】
前記液晶表示パネルは前記ゲートライン及びデータラインにより複数の画素領域に区分され、前記ゲート駆動信号及び映像データは該当画素領域に実質的に同一な時間に提供されることを特徴とする請求項４記載の液晶表示装置。
【請求項７】
映像データの入力を受け映像を表示する液晶表示パネルと、
前記液晶表示パネルにゲート駆動信号を出力するゲート駆動部と、
前記液晶表示パネルに前記映像データを出力するデータ駆動部と、
前記ゲート駆動部にゲート駆動信号の出力時点を制御する第１制御信号を提供し、前記データ駆動部に前記映像データの出力時点を制御するための第２制御信号を出力するタイミング制御部と、
前記データ駆動部と前記液晶表示パネルを電気的に連結する複数の信号伝達部材と、
前記複数の信号伝達部材のうちいずれか一つを通じてデータ駆動部に前記第２制御信号を提供する信号ラインと、を含むことを特徴とする液晶表示装置。
【請求項８】
前記液晶表示パネルは、
第１方向に延伸され、前記第１方向と直交する第２方向に所定間隔を有するように配列される複数のゲートラインと、
前記第２方向に延伸され、前記第１方向に所定間隔離隔して配列される複数のデータラインと、を含むことを特徴とする請求項７記載の液晶表示装置。
【請求項９】
前記信号ラインは前記第１方向に延伸され前記ゲートラインと実質的に平行するように形成されることを特徴とする請求項８記載の液晶表示装置。
【請求項１０】
前記液晶表示パネルは前記ゲートライン及びデータラインにより複数の画素領域に区分され、前記ゲート駆動信号及び映像データは該当画素領域に実質的に同一な時間に提供されることを特徴とする請求項９記載の液晶表示装置。
【請求項１１】
前記信号ラインは前記液晶表示パネル上に形成され、前記データ駆動部に隣接する請求項７記載の液晶表示装置。
【請求項１２】
液晶表示パネルと、
前記液晶表示パネルに連結されたデータドライバーと、
前記液晶表示パネルに連結されたゲートドライバーと、
前記ゲート及びデータドライバーに連結されたタイミングコントローラと、
前記液晶表示パネル上に形成され、前記タイミングコントローラと前記ゲート及びデータドライバーを電気的に連結する信号ラインと、を含むこと特徴とする液晶表示装置。
【請求項１３】
前記信号ラインは前記データドライバーに隣接して形成されることを特徴とする請求項１２記載の液晶表示装置。
【請求項１４】
前記データ駆動部と前記液晶表示パネルを電気的に連結する複数の信号伝達部材をさらに含み、
前記データドライバーからの映像データの出力を制御するために前記信号ラインは前記複数の信号伝達部材のうちいずれか一つを通じて前記タイミング制御部からの制御信号の入力を受けることを特徴とする請求項１３記載の液晶表示装置。
【発明の詳細な説明】
【技術分野】
【０００１】
本発明は液晶表示装置に関し、より詳細には表示品質を向上させるための液晶表示装置に関する。
【背景技術】
【０００２】
最近、半導体技術が急速に進歩するにつれて各種の電子装置の低電圧及び低電力化、小型及び軽量化により平板表示装置に対するこのような要求も急激に増大している。平板表示装置のうち液晶表示装置は、ほかの表示装置に比べて薄くて軽く、低い消費電力及び低い駆動電圧を備えていて広範囲に使用されている。
【０００３】
液晶表示装置は、一般に薄膜トランジスタ（以下、ＴＦＴと称する）基板と、前記ＴＦＴ基板に対向するカラーフィルター基板及びＴＦＴ基板とカラーフィルターとの間に形成された液晶層からなる液晶表示パネルと、前記液晶表示パネルを駆動するための駆動信号を発生する印刷回路基板と、を含む。
【０００４】
図１は一般の液晶表示装置の構成を示す平面図である。
【０００５】
図１に示すように、一般の液晶表示装置６００は複数のゲートラインＧＬ及び前記ゲートラインＧＬに直交して形成される複数のデータラインＤＬを含むＴＦＴ基板１００と、前記ゲートラインＧＬにゲート駆動信号を印加するゲート印刷回路基板１１０と、前記データラインＤＬにデータ信号を印加するデータ印刷回路基板１２０とを含む。このとき、データラインＤＬとゲートラインＧＬとが交差する領域に画素がマトリックス状に形成される。
【０００６】
一方、一般の液晶表示装置６００は、ＴＦＴ基板１００に対向して形成され、カラーフィルター及び共通電極を有するカラーフィルター基板（図示せず）をさらに含む。
【０００７】
前記ゲート印刷回路基板１１０及びデータ印刷回路基板１２０はゲート側ＴＣＰ１３０及びデータ側ＴＣＰ１４０を通じてゲートラインＧＬ及びデータラインＤＬとそれぞれ電気的に連結される。また、ゲート側ＴＣＰ１３０及びデータ側ＴＣＰ１４０上部にはゲート駆動チップ１５０及びデータ駆動チップ１６０がそれぞれ形成される。
【０００８】
前記データ駆動チップ１６０はデータ印刷回路基板１２０から入力されるデータ信号を複数のデータラインＤＬに水平ライン毎に出力する。
【０００９】
前記データ駆動チップ１６０はデータ印刷回路基板１２０から１ビットずつに入力されるデータ信号を表示画面の１個の水平ラインに該当するビット数だけ保存した後、出力指示信号ＴＰにより保存された信号を同時にアナログ電圧値に変換して複数のデータラインＤＬに出力する。
【００１０】
ここで、前記出力指示信号ＴＰはデータ印刷回路基板１２０上に構成されたタイミングコントローラ１７０から生成され、生成された出力指示信号ＴＰは出力指示信号ライン１８０を通じてデータ駆動チップ１６０に出力される。このとき、出力指示信号ライン１８０はデータ印刷回路基板１２０上に構成され、データ側ＴＣＰ１４０を通じてデータ駆動チップ１６０と電気的に連結される。従って、出力指示信号ＴＰは出力指示信号ライン１８０、データ側ＴＣＰ１４０を通じてデータ駆動チップ１６０に提供される。
【００１１】
一方、ゲートラインＧＬはゲート駆動チップ１５０から入力されるゲート駆動信号に応じて動作され、これによってデータラインＤＬを通じてアナログ電圧が各画素に伝達される。
【００１２】
ここで、ゲートラインＧＬはＴＦＴ基板１００上に構成され、上部に形成されるカラーフィルター基板の共通電極と共にキャパシターとして動作されることにより容量性負荷を有する。また、ゲートラインＧＬは金属配線であるので、金属配線自体の抵抗性負荷を有する。
【００１３】
従って、ゲート駆動信号はゲートラインＧＬの容量性負荷及び抵抗性負荷によりゲート駆動チップ１５０から遠距離に位置する地点では一定時間遅延された信号形態を有する。
【００１４】
図２は図１のデータライン及びゲートラインの位置によるデータ信号及びゲート信号の波形を示す波形図である。
【００１５】
図２に示されたように、ゲート駆動チップ１５０から提供されるゲート駆動信号が、図１のゲートラインＧＬ上のスタート点ａ領域に対して中間点ｂ領域及び終点ｃ領域でゲート駆動信号は所定時間遅延される。
【００１６】
即ち、ｂ領域のゲートラインＧＬに載せられるゲート駆動信号ｇ２はゲートラインＧＬの容量性負荷及び抵抗性負荷によりａ領域のゲートラインＧＬに載せられるゲート駆動信号ｇｌに対して第１時間ｔ１だけ遅延される。
【００１７】
また、ｃ領域のゲートラインＧＬに載せられるゲート駆動信号ｇ３はゲートラインＧＬの容量性負荷及び抵抗性負荷によりａ領域のゲートラインＧＬに載せられるゲート駆動信号ｇｌに対して第２時間ｔ２だけ遅延される。このとき、ｂ領域のゲート駆動信号ｇ２よりｃ領域のゲート駆動信号ｇ３の遅延時間が長い理由は、ゲート駆動信号が伝達されるために経るゲートラインＧＬの長さが長くなるほど容量性負荷及び抵抗性負荷が増加するからである。
【００１８】
一方、出力指示信号ＴＰによりデータ駆動チップ１６０からデータラインＤＬに出力されるデータ信号ｄはデータラインが位置する領域即ち、ａ領域、ｂ領域及びｃ領域に関係なしに互いに同一な信号形態を有する。
【００１９】
前記出力信号ＴＰをデータ駆動チップ１６０に提供する出力指示信号ライン１８０はデータ印刷回路基板１２０上に形成されるので、ゲートラインＧＬのような容量性負荷を有しない。
【００２０】
従って、出力指示信号ライン１８０を通じてデータ駆動チップ１６０に提供される出力指示信号ＴＰはａ領域乃至ｃ領域に関係なしに常に同一な信号波形を有し、出力指示信号ＴＰによりデータラインＤＬに出力されるデータ信号は領域に関係なしに常に同一な信号波形を有する。
【００２１】
それで、一般の液晶表示装置６００においては画素の位置によりゲート駆動信号が一定時間だけ遅延されるが、出力指示信号及びデータ信号は出力指示信号ラインの位置及び画素の位置と関係なしに常に同一な信号波形を有する。
【００２２】
従って、一般の液晶表示装置はデータ信号の波形とゲート駆動信号の波形が一致せず、該当データラインにデータ信号が印加される間であっても、それに相応するゲートラインにゲート駆動信号が印加されない。よって、データ信号が画素電極にまともに印加できず画質が歪曲される。
【発明の開示】
【発明が解決しようとする課題】
【００２３】
本発明は表示画質を向上させるための液晶表示装置を提供する。
【課題を解決するための手段】
【００２４】
本発明の一特徴による液晶表示装置は、液晶表示パネルは外部からの映像データの入力を受けて映像を表示し、データ駆動部は液晶表示パネルに映像データを出力し、ゲート駆動部は液晶表示パネルにゲート駆動信号を出力し、タイミング制御部はゲート駆動部にゲート駆動信号の出力を制御する第１制御信号及びデータ駆動部に映像データの出力を制御するための第２制御信号を出力し、タイミング制御部は液晶表示パネル上に形成される配線を通じて第２制御信号を伝達する。
【００２５】
また、本発明による液晶表示装置の液晶表示パネルは外部から映像データの入力を受けて映像を表示し、データ駆動部は液晶表示パネルに映像データを出力し、ゲート駆動部は液晶表示パネルにゲート駆動信号を出力し、タイミング制御部はゲート駆動部にゲート駆動信号の出力を制御する第１制御信号及びデータ駆動部に映像データの出力を制御するための第２制御信号を出力し、複数の信号伝達部材はデータ駆動部と液晶表示パネルとを電気的に連結し、制御信号の伝達ラインは液晶表示パネル上のデータ駆動部に隣接する領域に形成され、複数の信号伝達部材のうちいずれか一つを通じてデータ駆動部に第２制御信号を提供する。
【発明の効果】
【００２６】
このような液晶表示装置によると、映像データとゲート駆動信号が実質的に同一な時間に該当する画素領域に印加されることができるので映像データまたはゲート駆動信号の遅延による映像の歪曲を防止することができ、液晶表示装置の表示画質を向上させることができる。
【発明を実施するための最良の形態】
【００２７】
以下、図面を参照して本発明の望ましい一実施例をより詳細に説明する。
【００２８】
図３は本発明の一実施例による液晶表示装置の分解斜視図であり、図４は図３のＴＦＴ基板及び印刷回路基板の構成を概略的に示す平面図である。
【００２９】
図３及び図４に示すように、本発明の一実施例による液晶表示装置２００は光を発生させるバックライトアセンブリ３００及びバックライトアセンブリ３００から発生され光の提供を受け映像を表示する表示ユニット４００で構成される。
【００３０】
前記バックライトアセンブリ２００は光を発生する光源部３１０、前記光源部３１０から発生された光をガイドして表示ユニット４００から提供するための導光板３２０を含む。ここで、光源部３１０はランプ３１２及びランプ３１２の一側をカバーすることで前記ランプ３１２から発生された光を導光板３２０側に反射させるランプ反射板３１４を含む。
【００３１】
また、バックライトアセンブリ３００は導光板３２０の下部に具備され導光板３２０から漏洩される光を再び前記導光板３２０側に反射して表示ユニット４００側に提供するための反射板３３０、前記導光板３２０の上部に位置して前記導光板３２０から出射される光の輝度分布を均一にするための複数の光学シート３４０を含む。
【００３２】
前記バックライトアセンブリ３００及び表示ユニット４００はバックライトアセンブリ３００の下部に位置するモールドフレーム３５０に順次に収納される。また、前記液晶表示装置２００は前記モールドフレーム３５０と対向するように具備され表示ユニット４００及びバックライトアセンブリ３００をモールドフレーム３５０に固定させるためのシャシー３６０を含む。
【００３３】
前記表示ユニット４００は液晶表示装置２００の映像を表示する液晶表示パネル４１０、データ信号を発生するためのデータ印刷回路基板４２０、ゲート駆動信号を発生するためのゲート印刷回路基板４３０、データ印刷回路基板４２０から入力されるデータ信号を液晶表示装置２００の液晶表示パネル４１０に提供するデータ駆動チップ４４０、ゲート印刷回路基板４３０から入力されるゲート駆動信号を液晶表示パネル４１０に順次に提供するゲート駆動チップ４５０を含む。
【００３４】
ここで、液晶表示パネル４１０は表示セルアレイ４１２が形成されたＴＦＴ基板４１４、ＴＦＴ基板４１４と対向して具備され、カラーフィルター（図示せず）と共通電極（図示せず）が形成されたカラーフィルター基板４１６及び前記ＴＦＴ基板４１４とカラーフィルター基板４１６との間に介在された液晶層（図示せず）で構成される。
【００３５】
前記ＴＦＴ基板４１４の表示セルアレイ４１２にはロー（ｒｏｗ）方向に延伸された複数のデータラインＤＬとカラム方向に延伸された複数のゲートラインＧＬが形成される。また、前記データラインＤＬと前記ゲートラインＧＬにより定義される領域にはスイッチング素子であるＴＦＴ４１７と画素電極４１８が形成される。前記ＴＦＴ４１７のゲート電極ＧはゲートラインＧＬに連結され、ＴＦＴ４１７のソース電極ＳはデータラインＤＬに連結され、ＴＦＴ４１７のドレーン電極Ｄは画素電極４１８に連結される。
【００３６】
ここで、本発明の一実施例による液晶表示装置が５２５×１９２解像度を有する場合、データラインＤＬは５２５個であり、ゲートラインＧＬは１９２個である。
【００３７】
前記ゲートラインＧＬは前記ゲート駆動チップ４５０を通じて提供される電気的な信号であるゲート駆動信号を前記表示セルアレイ４１２のＴＦＴ４１７に印加するための金属配線である。従って、ゲートラインＧＬはＴＦＴ基板４１４の上部に位置するカラーフィルター基板４１６の共通電極と共にキャパシターとして動作されるので、ゲートラインＧＬには容量性負荷が作用する。また、ゲートラインＧＬは一種の抵抗体であるので、ゲートラインＧＬには抵抗性負荷がまたも作用する。
【００３８】
前記したように容量性負荷及び抵抗性負荷により、ゲートラインＧＬに載せられるゲート駆動信号は、ゲートラインＧＬの長さにより互いに異なる信号印加時間を有する。即ち、ゲート駆動信号が相対的に長いゲートラインＧＬを経て前記ＴＦＴ４１７に提供される場合、前記ゲート駆動信号はゲートラインＧＬに作用する容量性負荷及び抵抗性負荷の影響を相対的に多く受ける。そのため、前記ゲート駆動信号が短いゲートラインＧＬを経て前記ＴＦＴ４１７に提供される場合に比べて信号の時間遅延が大きい。
【００３９】
前記複数のデータ駆動チップ４４０は液晶表示パネル４１０とデータ印刷回路基板４２０を電気的に連結させるデータ側ＴＣＰ４２２上に形成され、複数のゲート駆動チップ４５０は液晶表示パネル４１０とゲート印刷回路基板４３０とを電気的に連結させるゲート側ＴＣＰ４３２上に形成される。
【００４０】
また、前記データ印刷回路基板４２０上には、データ駆動チップ４４０に保存されたデータ信号をアナログ信号に変換してデータラインＤＬに出力するためのタイミング信号である出力指示信号ＴＰを生成するタイミングコントローラ５００が形成される。前記タイミングコントローラ５００により生成された出力指示信号ＴＰは出力指示信号ライン５１０を通じてデータ駆動チップ４４０に出力される。
【００４１】
前記出力指示信号ライン５１０は、データ駆動チップ４４０と隣接する領域であるＴＦＴ基板４１４の上端部にゲートラインＧＬと実質的に平行するように形成される。このとき、出力指示信号ライン５１０は一つのデータ側ＴＣＰ４２２を通じてタイミングコントローラ５００から出力指示信号ＴＰの入力を受ける。
【００４２】
また、タイミングコントローラ５００はゲート駆動チップ４５０にゲート駆動信号の出力を制御するためのタイミング信号も前記出力指示信号ＴＰと共に出力する。
【００４３】
ここで、前記データ駆動チップ４４０はデータ側ＴＣＰ４２２を通じてデータ印刷回路基板４２０から点順次方式（Ｄｏｔ  ａｔ  ａ  ｔｉｍｅ  Ｓｃａｎｎｉｎｇ）のタイミング体系に入力されるデータ信号を線順次方式（Ｌｉｎｅ  ａｔ  ａ  ｔｉｍｅ  Ｓｃａｎｎｉｎｇ）を体系に保存する。
【００４４】
即ち、データ駆動チップ４４０はデータ印刷回路基板４２０からビット毎に入力されるデータ信号をシフト動作に応じて１個の水平ラインに該当するビット数だけ保存する。
【００４５】
続いて、データ駆動チップ４４０は出力指示信号ライン５１０を通じて入力される出力指示信号ＴＰにより保存されたデータ信号をアナログデータ信号に変換した後、表示セルアレイ４１２のデータラインＤＬに出力する。
【００４６】
以下、データ駆動チップ４４０の動作を図５を参照してより詳細に説明する。
【００４７】
図５は図３のデータ駆動チップ４４０の内部構成を示すブロック図である。
【００４８】
図５に示すように、データ駆動チップ４４０はシフトレジスタ４４１、データレジスタ４４２、ラッチ部４４３、Ｄ/Ａコンバーター４４４及び信号出力部４４５を含む。
【００４９】
前記シフトレジスタ４４１は、データ印刷回路基板４２０から１ビットずつ入力されるデジタルデータ信号をシフトして前記データレジスタ４４２に順次に保存する。
【００５０】
従って、液晶表示装置が第１乃至第８データ駆動チップ４４０を含む場合、データ印刷回路基板４２０から１ビットずつデータ信号が第１データ駆動チップに入力されると、第１データ駆動チップはシフトレジスタ動作に応じて第２データ駆動チップにデータ信号を出力し、第２データ駆動チップはシフト動作に応じて入力されるデータ信号を第３データ駆動チップに出力する。
【００５１】
このように、データ印刷回路基板４２０から入力されるデータ信号は第１乃至第８データ駆動チップのシフト動作に応じて第８データ駆動チップに保存され、以後第７データ駆動チップに保存される。前記した動作が反復的に遂行されるにより第８データ駆動チップから第１駆動チップにまでデータ信号が保存される。このとき、第１乃至第８データ駆動チップには１個の水平ラインに相応する５２５ビットのデータ信号がそれぞれ保存される。
【００５２】
続いて、１個の水平ラインに該当するビット数のデジタルデータ信号がデータレジスタ４４２に保存されると、タイミングコントローラ５００は出力指示信号ＴＰをデータレジスタ４４２に出力する。このとき、出力指示信号ＴＰはＴＦＴ基板４１４上に形成された出力指示信号ライン５１０を通じて前記データレジスタ４４２に入力される。
【００５３】
前記データレジスタ４４２は出力指示信号ライン５１０を通じて入力される前記出力指示信号ＴＰに応答して、保存されたデジタルデータ信号を同時にラッチ部４４３に出力する。ラッチ部４４３は、データレジスタ４４２から入力されるデジタルデータ信号の電圧レベルを高くする。そして、Ｄ/Ａコンバーター４４４は、前記ラッチ部４４３から提供される電圧レベルが高いデジタルデータ信号をアナログデータ信号であるアナログ電圧に変換する。前記信号出力部４４５はＤ/Ａコンバーター４４４で変換されたアナログ電圧を増幅してデータラインＤＬに出力する。
【００５４】
前記したように、データ駆動チップ４４０に印加される出力指示信号ＴＰの経路として提供された出力指示信号ライン５１０は、ＴＦＴ基板４１４上で前記ゲートラインＧＬと実質的に平行するように形成されるので、前記出力指示信号ライン５１０にはゲートラインＧＬと同一な容量性負荷及び抵抗性負荷が作用する。
【００５５】
即ち、出力指示信号ライン５１０はカラーフィルター４１６の共通電極と共にキャパシターとして動作するので、出力指示信号ライン５１０には容量性負荷が作用する。また、出力指示信号ライン５１０は一種の抵抗体であるので、出力指示信号ライン５１０には抵抗性負荷が作用する。
【００５６】
従って、前記したように容量性負荷及び抵抗性負荷により出力指示信号ライン５１０を通じてデータ駆動チップ４４０に出力される出力指示信号ＴＰには信号の遅延が発生され得る。
【００５７】
即ち、相対的に長い出力指示信号ライン５１０を通じて前記データ駆動チップ４４０に到達される出力指示信号ＴＰは、相対的に短い出力指示信号ライン５１０を通じて前記データ駆動チップ４４０に到達される出力指示信号ＴＰより所定時間だけ信号が遅延される。このとき、出力指示信号ＴＰの遅延時間はゲート駆動信号の遅延時間と実質的に同一である。
【００５８】
図６は図４のＡ乃至Ｃ領域においてのゲートラインの信号波形とデータラインの信号波形との関係を示す波形図である。
【００５９】
図６に示すように、ゲート駆動チップ４５０から提供されるゲート駆動信号がゲートラインＧＬに載せられるスタート点Ａ領域に対して中間地点Ｂ領域及び終点Ｃ領域でゲート駆動信号は所定の時間遅延が発生される。
【００６０】
即ち、Ｂ領域のゲートラインＧＬに載せられるゲート駆動信号Ｇ２はゲートラインＧＬの容量性負荷及び抵抗性負荷によりＡ領域のゲートラインＧＬに載せられるゲート駆動信号Ｇ１に対して第１時間ＤＬ１だけ遅延される。
【００６１】
また、Ｃ領域のゲートラインＧＬに載せられるゲート駆動信号Ｇ３はゲートラインＧＬの容量性負荷及び抵抗性負荷によりＡ領域のゲートラインＧＬに載せられるゲート駆動信号Ｇ１に対して第２時間ＤＬ２だけ遅延される。このとき、Ｂ領域のゲート駆動信号Ｇ２よりＣ領域のゲート駆動信号Ｇ３の遅延時間が長いのはゲート駆動信号が伝達されるために経るゲートラインＧＬの長さが長くなるほどゲート駆動信号に影響を及ぶ容量性負荷及び抵抗性負荷が増加するからである。
【００６２】
一方、データ駆動チップ４４０から提供されＡ領域のデータラインＤＬ上に載せられるデータ信号Ｄ１に対して、Ｂ領域のデータラインＤＬに載せられるデータ信号Ｄ２は第１時間ＤＬ１だけ遅延される。また、Ａ領域のデータラインＤＬに載せられるデータ信号Ｄ１に対してＣ領域のデータラインＤＬに載せられるデータ信号Ｄ３は第２時間ＤＬ２だけ遅延される。
【００６３】
即ち、Ｂ領域のデータラインＤＬにデータ信号Ｄ２を出力するための第２出力指示信号ＴＰ２は、出力指示信号ライン５１０に作用する容量性負荷及び抵抗性負荷によりＡ領域のデータラインＤＬにデータ信号Ｄ１を出力するための第１出力指示信号ＴＰ１に対して第１時間ＤＬ１だけ遅延される。従って、Ｂ領域のデータラインＤＬに載せられるデータ信号Ｄ２はＡ領域のデータラインＤＬに載せられるデータ信号Ｄ１に対して第１時間ＤＬ１だけ遅延される。
【００６４】
また、Ｃ領域のデータラインＤＬにデータ信号Ｄ３を出力するための第３出力指示信号ＴＰ３は、出力指示信号ライン５１０に作用する容量性及び抵抗性負荷により第１出力指示信号ＴＰ１に対して第２時間ＤＬ２だけ遅延される。従って、Ｃ領域のデータラインＤＬに載せられるデータ信号Ｄ３は、Ａ領域のデータラインＤＬに載せられるデータ信号Ｄ１に対して第２時間ＤＬ２だけ遅延される。このとき、Ｂ領域のデータ信号Ｄ２よりＣ領域のデータ信号Ｄ３の遅延時間が長いのは、出力指示信号が伝達されるために経る出力指示信号ライン５１０の長さが長くなるほど出力指示信号に影響を及ぶ容量性負荷及び抵抗性負荷が増加するからである。
【００６５】
前記ゲートラインＧＬと出力指示信号ライン５１０はＴＦＴ基板４１４上に形成されるので、ゲートラインＧＬと出力指示信号ライン５１０に作用する容量性負荷及び抵抗性負荷は実質的に互いに同一である。
【００６６】
よって、Ｂ領域のゲート駆動信号Ｇ２とデータ信号Ｄ２は、Ａ領域のゲート駆動信号Ｇ１とデータ信号Ｄ１に対して実質的に同一な遅延時間、即ち第１時間ＤＬ１だけ遅延される。また、Ｃ領域のゲート駆動信号Ｇ３とデータ信号Ｄ３はＡ領域のゲート駆動信号Ｇ１とデータ信号Ｄ１に対して実質的に同一な遅延時間、即ち第２時間ＤＬ２だけ遅延される。
【００６７】
従って、画素領域の位置によりゲートラインを通過するゲート駆動信号が遅延され、このゲート駆動信号の遅延時間と実質的に同一な時間の間データラインに提供されるデータ信号が遅延される。従って、各画素領域にはゲート駆動信号とデータ信号が実質的に同一な時間に提供される。
【００６８】
前述したように、本発明による液晶表示装置はゲートラインが形成されるＴＦＴ基板上にデータ信号の出力を指示する別途の出力指示信号ラインを形成する。また、ゲートライン及び出力指示信号ラインが同一な基板上に形成されるので、前記ゲートライン及び出力指示信号ラインは実質的に互いに同一な容量性負荷及び抵抗性負荷を有する。従って、出力指示信号は容量性負荷及び抵抗性負荷の作用によりゲートラインを通過するゲート駆動信号の遅延時間と実質的に同一な時間で遅延される。
【００６９】
従って、ゲート駆動信号とデータ信号が画素領域に印加される時間が互いに異なることにより発生される映像の歪曲を防止することができ、液晶表示装置の表示品質を向上させることができる。
【００７０】
以上、本発明の実施例によって詳細に説明したが、本発明はこれに限定されず本発明が属する技術分野において通常の知識を有するものであれば本発明の思想と精神を離れることなく、本発明を修正または変更できる。
【産業上の利用可能性】
【００７１】
本発明は、表示品質の向上が求められる液晶表示装置に用いることができる。
【図面の簡単な説明】
【００７２】
【図１】一般の液晶表示装置の構成を示す平面図である
【図２】図１のデータライン及びゲートラインの位置によるデータ信号及びゲート信号の波形を示す波形図である。
【図３】本発明の一実施例による液晶表示装置の分解斜視図である。
【図４】図３のＴＦＴ基板及び印刷回路基板の構成を概略的に示す平面図である。
【図５】図３のデータ駆動チップの内部構成を示すブロック図である。
【図６】図４のＡ乃至Ｃ領域においてのゲートラインの信号波形とデータラインの信号波形との関係を示す波形図である。
【符号の説明】
【００７３】
１００      ＴＦＴ基板
１１０、４３０      ゲート印刷回路基板
１２０、４２０      データ印刷回路基板
１３０      ゲート側ＴＣＰ
１４０      データ側ＴＣＰ
１５０、４５０      ゲート駆動チップ
１６０、４４０      データ駆動チップ
１８０、５１０      出力指示信号ライン
２００      液晶表示装置
３００      バックライトアセンブリ
３１０      光源部
３２０      導光板
３１４      ランプ反射板
３５０      モールドフレーム
４００      表示ユニット
４１０      液晶表示パネル
４４１      シフトレジスタ
４４２      データレジスタ
４４３      ラッチ部
【図１】
2005004205.tif 000003
【図２】
2005004205.tif 000004
【図３】
2005004205.tif 000005
【図４】
2005004205.tif 000006
【図５】
2005004205.tif 000007
【図６】
2005004205.tif 000008